(57)【要約】【課題】  断線の心配がなく、十分な機動性を有し、過去のテレビレンズに対しても高い汎用性を持ったリモコン受信装置を提供する。【解決手段】  光学装置（９）のリモートコントロールに用いられるリモコン受信装置であって、リモコン送信装置から発せられたリモートコントロール信号を受信する受信部（１）と、光学装置に設けられたデマンド接続用コネクタ（１４）に対して接続されるコネクタ部（３）とを有することを特徴とするリモコン受信装置。【選択図】  図３
2006033284.tif 000002
【特許請求の範囲】
【請求項１】
光学装置のリモートコントロールに用いられるリモコン受信装置であって、
リモコン送信装置から発せられたリモートコントロール信号を受信する受信部と、
前記光学装置に設けられたデマンド接続用コネクタに対して接続されるコネクタ部とを有することを特徴とするリモコン受信装置。
【請求項２】
互いに仕様が異なる光学装置であり、共通のデマンド接続用コネクタを有する第１および第２の光学装置のそれぞれのリモートコントロールに用いられるリモコン受信装置であって、
前記リモートコントロール信号を受信する受信部と、
前記デマンド接続用コネクタに対して接続されるコネクタ部とを有することを特徴とするリモコン受信装置。
【請求項３】
請求項１又は２に記載のリモコン受信装置と、
前記リモコン送信装置とを有することを特徴とするリモートコントロールシステム。
【請求項４】
請求項３に記載のリモートコントロールシステムと、
該リモートコントロールシステムによってリモートコントロールされる少なくとも１つの光学装置を含むカメラシステムとを有することを特徴とするリモート撮影システム。
【発明の詳細な説明】
【技術分野】
【０００１】
本発明は、光学装置のリモコン受信装置に関する。
【背景技術】
【０００２】
肩担ぎタイプのテレビカメラ本体に装着されるテレビレンズには、テレビレンズを右手で保持するためのドライブユニットが設けられている。このドライブユニットの内部には、ズームやフォーカスを電動駆動するためのモータが組み込まれており、また外装面にはテレビカメラの録画のON/OFFを指示するVTRスイッチや、スイッチのON/OFF操作をカメラへ送り返すリターン（RET）スイッチが設けられている。
【０００３】
このRETスイッチを操作することにより、例えば複数のカメラで被写体を撮影している時に、カメラマンが使用するテレビカメラのビューファインダに映し出す映像を、自分の撮影映像から、別のカメラマンの撮影映像に切換えることができる。これにより、複数のカメラマンとの連携を意識して撮影することができる。
【０００４】
ここで、このような肩担ぎタイプの撮影システムを、図１４のように三脚１２に固定して使用する場合、ドライブユニット１０とカメラマンとの距離が離れるため、カメラマンはドライブユニット１０のスイッチを容易に操作することができなくなる。そのためVTRスイッチやRETスイッチを備えたリモートスイッチユニット１５を用いて遠隔から操作する場合が多い。
【０００５】
リモートスイッチユニット１５は、VTRスイッチとRETスイッチを設けた小型の筒状のスイッチユニット本体とケーブル１６で構成され、スイッチユニット本体はカメラマンが手元で容易に操作できるように三脚１２のパン棒１３にテープ等で固定され、ケーブル１６はドライブユニット１０のデマンド用コネクタ１４に接続されている。
【０００６】
リモートスイッチユニット１５のスイッチをON/OFFした場合、そのON/OFF信号がケーブルを介してドライブユニット１０及びテレビレンズに出力される。このように、リモートスイッチユニット１５を用いることで、三脚使用時であってもドライブユニットに手を伸ばさなくてもカメラマンの手元で容易にVTRスイッチとRETスイッチを操作することができる。
【０００７】
ところが、テレビ局のスタジオ等での撮影形態はさまざまであり、テレビカメラを肩に担いで撮影するケースや、テレビレンズが装着されたテレビカメラを三脚に固定して撮影するケース、三脚にテレビカメラを固定して撮影している途中で、瞬時にテレビカメラを三脚から取り外し、肩で担いで撮影に移るケースもある。
【０００８】
このような場合、前述したリモートスイッチユニットを用いると、リモートスイッチユニット本体は三脚のパン棒に固定されているため、カメラを三脚から外す時には、リモートスイッチユニットのコネクタケーブルをドライブユニットから取り外す必要があり、カメラと三脚の着脱頻度が高い撮影時には機動性に欠ける欠点がある。
【０００９】
また、瞬時に三脚撮影から肩担ぎ撮影に移る時に、リモートスイッチユニットのコネクタケーブルをドライブユニットから取り外す作業を忘れ、ケーブル１６の引っ張りというトラブルが発生するおそれがある。
【００１０】
このよう問題を解決するために、ケーブル接続しているリモートスイッチユニットとドライブユニットを、ワイヤレスリモコン用いて通信する方法が考えられる（例えば、特許文献１参照）。
【特許文献１】特開平０７−０３８７９７号公報（段落０００７）
【発明の開示】
【発明が解決しようとする課題】
【００１１】
しかしながら、このようなリモコン形態の場合、レンズ装置等にあらかじめ、リモコンの受光素子を内蔵しておく必要性があり、テレビ局のスタジオ等での撮影形態の場合、テレビカメラ1台に対し、何台かのテレビレンズを取り替えて撮影をする場合や、使用するテレビレンズが、リモコン用受光素子を内蔵していないものとなった場合には使用できない欠点がある。
【００１２】
本発明は、カメラと三脚の着脱を繰り返す撮影状況においても、断線の心配がなく、また十分な機動性を持ち、過去のテレビレンズに対しても高い汎用性を持ったリモートスイッチユニットを提供することを一つの目的とする。
【課題を解決するための手段】
【００１３】
上記課題を解決するために本願発明のリモコン受信装置の第１の構成は、光学装置のリモートコントロールに用いられるリモコン受信装置であって、リモコン送信装置から発せられたリモートコントロール信号を受信する受信部と、前記光学装置に設けられたデマンド接続用コネクタに対して接続されるコネクタ部とを有することを特徴とする。
【発明の効果】
【００１４】
本願発明のリモコン受信装置の第１の構成によれば、光学装置に設けられたデマンド接続用コネクタに対して接続されるコネクタ部を有するため、汎用性の高いリモコン受信装置を提供することができる。
【００１５】
さらに、リモートコントロール装置と光学装置とが通信するためのケーブルなどの有線が不要となるため、ケーブルの引っ張りや機動性の低下を軽減することができる。
【発明を実施するための最良の形態】
【００１６】
以下、本発明の実施例について説明する。
（実施例）
本発明の第一の実施例の構成を、以下の図１〜３に基づいて説明する。これらの図において、１は受光ユニット（受光部）であり、送信ユニット４からの指令信号を受光する受光素子１aを有している。３は接続コネクタであり、接続コネクタ３及び後述するデマンド用コネクタ１４が連結されることにより、送信ユニット４及びレンズ本体９が接続される。受光ユニット１及び接続コネクタ３によりリモコン受信装置が構成される。
【００１７】
４は送信ユニット（リモコン送信装置）であり、VTRスイッチ６、RETスイッチ７を有している。５は発光素子であり、スイッチ６、７のON/OFF操作に応じて所定の指令信号（赤外線信号）を出力する。８は送信ユニット４に設けられたLEDであり、バッテリチェック時に点灯する。
【００１８】
受光ユニット１、接続コネクタ３及び送信ユニット４により、リモートコントロールシステムが構成される。
【００１９】
９はズームレンズやフォーカスレンズを有するレンズ本体であり、このレンズ本体９にはドライブユニット１０が着脱可能に装着される。
【００２０】
ドライブユニット１０には、ズームレンズやフォーカスレンズを電動駆動するモータ、レンズ本体９全体の制御を司る制御回路、テレビ映像の録画スタート/ストップを指示するVTRスイッチ及びスイッチ操作に応じた信号をカメラ１１に出力するRETスイッチが設けられている。
【００２１】
本実施例のレンズ本体９はハンディタイプであり、カメラを肩で担ぐケースが多いことから、レンズ本体９を保持する際に、右手を添えるドライブユニット１０の外装面に各種スイッチを配置している。
【００２２】
１１は映像を映し出し、テレビ映像の録画等が可能なカメラであり、１２はカメラ１１を支持する三脚である。１３はカメラをパン方向に駆動するときに操作されるパン用操作棒であり、このパン用操作棒１３に対して送信ユニット４がテープなどを介して固定されている。送信ユニット４がパン用操作棒１３に固定された状態において、送信ユニット４の発光素子５は、受光ユニット１が位置する方向に向いている。
１４はドライブユニット１０に設けられたデマンド用コネクタ（デマンド接続用コネクタ）であり、接続コネクタ３が着脱可能に装着される。
【００２３】
レンズ本体９、ドライブユニット１０及びカメラ１１によりカメラシステムが構成される。このカメラシステムと上述のリモコン受信装置によりリモート撮影システムが構成される。
【００２４】
ここで、デマンド用コネクタ１４は、現在のテレビ局等で使用されているレンズ装置に設けられたコネクタであるため、新規にコネクタを増設する必要はない。すなわち、受光ユニットが装着される光学装置は、共通のデマンド用コネクタ１４を有している。
【００２５】
したがって、受光ユニット１をデマンド用コネクタ１４が設けられた様々な光学装置、
例えば、図４に示すドライブユニットが内蔵されたレンズ装置３１や図４に示すレンズ装置とはレンズの種類が異なる他のレンズ装置に装着することができる。
【００２６】
次に送信ユニット４の動作について図５、図６を用いて説明する。ここで、図５及び６は、送信ユニットの制御手順を示したフローチャートである。なお、図５及び図６のフローチャートは、送信ユニット４に組み込まれた不図示の制御回路によって実行される。
【００２７】
step101にて、受光ユニット１は送信ユニット４で設定されたIDデータを確認する。このIDデータは、送信ユニット４から発光送信される指令信号（以下、基本コードとする）の一部として送信され、受光ユニット１は、特定のIDデータを含む基本コードのみを受信データとして認識し、その他の信号や特定の基本コード以外は受信データと認識しない。
【００２８】
step102では、VTRスイッチ６及びRETスイッチ７のスイッチの操作状態を確認する。そして、step103に進み、VTRスイッチ６、RETスイッチ７がともにOFFの場合、step104に進み後述するCounterをクリアにして、step101に戻る。
【００２９】
一方、VTRスイッチ６及びRETスイッチ7のうち少なくとも一方のスイッチがONとなっている場合、step105に進み、VTRスイッチ６が、前述のスイッチ確認時と比較しOFFからONに切り替わったかどうかを確認する。
【００３０】
OFFからONに切り替わっていた場合は、step106に進み、そうでない場合は、step107に進む。step106、step107ではともに、RETスイッチ７が前回のスイッチ確認時と比較し、OFFからONに切り替わったかどうかを確認する。step106において、RETスイッチ７がOFFからONに切り替わっていた場合には、step108に進む。
【００３１】
step108の状態では、VTR、RETスイッチ６，７ともにOFFからONに切り替わっているため、基本コードのデータコード部（後述する）にVTR、RETスイッチ６、７がONであると設定する。
【００３２】
RETスイッチ７がOFFからONに切り替わっていない場合は、VTRスイッチ６のみONであるため、基本コードのデータコード部にVTRスイッチ６がONであると設定する。
【００３３】
step107において、RETスイッチ７がOFFからONに切り替わっていた場合、step110に進む。step110の状態では、VTRスイッチ６がOFFからONに切り替わっておらず、かつ、RETスイッチ７がOFFからONに変わっているため、基本コードのデータコード部にRETスイッチ７がONである設定をする。
【００３４】
VTRスイッチ６及びRETスイッチ７がいずれも、OFFからONに切り替わっていない場合は、既にVTRスイッチ６、RETスイッチ７ともにONになっている状態であるため、図６のstep113に進む。
【００３５】
次に、上記基本コードに関して、説明する。
基本コードは図９に示したように、ある一定の周期Tにて、または、図１２、１３に示すように、VTRスイッチ６、あるいはRETスイッチ７がOFFからON、ONからOFFに変化した時に、送信ユニット４の発光素子５より、赤外線信号として発光送信される指令信号である。この基本コードは、リーダ部、データコード部、確認用のデータコード反転部（1の補数）及びストップビットで構成されている。
【００３６】
リーダ部は受光ユニット１に対し、データコード部が出力されたことを報知し、受光ユニット１はリーダ部を検出した後にデータコード部を受信するように設計されている。
【００３７】
次に、データコード部について説明する。データコード部は、受光ユニット１が受信する基本コードを識別するためのIDデータと、VTRスイッチ６、RETスイッチ７のON、OFFの状態を示す信号により構成されている。図５に示すstep108〜110の基本コード設定は、データコード部のVTR、RETのbit部分を設定するのである。
【００３８】
IDデータは、送信ユニット４で設定される。また、上述したが、受光ユニット１は、このIDデータを識別し、受信可能なIDデータを含む基本コードのみを受信データとして認識し、その他の信号や特定のIDデータを持つ特定の基本コード以外は受信データとして認識しない。つまり、受光ユニット１は、特定の基本コードの内容だけを認識し、VTR、RETスイッチ６、７のON/OFF信号を受信する。
【００３９】
図１０は、基本コード内の、データコード部のデータを示している。前半8bit、後半8bit及びストップビットからなるコードであり、各ビットは0、1の信号である。また、後半8bitは前半8bitの1の補数である。
【００４０】
ID1〜ID4は前述した、特定の基本コードを受信するために設定されたIDデータであり、VTR、RETはスイッチの状態がONかOFFかを示すものである。この基本コードにおいて、IDデータは4bitでなくてもよく、必要に応じて、増減することができる。また、VTR、RETの部分であるが、これは、スイッチの数に応じて、1bit、3bit、4bit…などに変更可能である。
【００４１】
また、リーダ部及びデータコード部からなる基本コードにおいて、図１１に示すように、受光ユニット１が、IDデータ  1000の基本コードのみを受信するよう設定されていると仮定する。この場合、受信データが、0xA1の場合（IDデータ  0000）は受信データとして認識されず、0x81の場合（IDデータ  1000）は、IDデータが等しいので、受信データとして認識される。
【００４２】
図５及び図６のフローチャートに戻り、動作の説明を継続する。図５のstep108〜110に示すように、VTRスイッチ６及びRETスイッチ７のうち少なくとも一方のスイッチがONに切り替わった場合、step111に進む。step111では、基本コードを送信する周期を制御するためのカウンタであるCounterをクリアする。クリア後、送信ユニット４は、生成した指令信号（基本コード）を、発光素子５から赤外線信号として、発光送信する(step112)。
【００４３】
受光ユニット１は、この送信された指令信号のリーダ部を検出し、データコード部受信可能状態に設定するとともに、IDデータを確認し、受光ユニット１にて受信可能なIDデータであれば、受信状態に設定する。受光ユニット1における処理は後述する。
【００４４】
次に、図６のstep113に進み、送信ユニット４は、Counterをカウントアップする。これは、基本コードを送信する周期を制御するためのカウンタであり、VTRスイッチ６及びRETスイッチ７のうちいずれか一方が押されていた場合、ある一定の周期Tで、基本コードを出力するために使用される。
【００４５】
送信ユニット４は、決められた数まで、カウントアップしたら、基本コードを発光送信する。ただし、このCounterは、スイッチ確認時、上述したVTRスイッチ６やRETスイッチ７がOFFからONへ切り替わった時、OFFからONに切り替わった時、送信される基本コードや両スイッチがともにOFF状態になった時及び受光ユニット１に受信状態を終了させるためのOFFコードを送信する時に、クリアされる。つまり、このCounterは、VTRスイッチ６及びRETスイッチ７がONまたはOFFに設定された状態で保持されているとき、一定の周期で、基本コードを送信する。
【００４６】
この周期を制御するものは、カウンタでなく、制御回路に内蔵されているタイマーでも良い。Counterのカウントアップ後、step114に進み、VTRスイッチ６及びRETスイッチ７がともにON状態の場合、step116に進みバッテリ用LED８を点灯させる。一方、VTRスイッチ６及びRETスイッチ7のうち少なくとも一方のスイッチがOFFの場合、バッテリ用LED８を消灯する。
【００４７】
このバッテリ用LED８の消灯状態を介して、送信ユニット４に搭載された電池や、バッテリ等の電源の残量を確認することができる。そして、step117に進み、カウントアップしているCounterが所定の基本コードを送信する周期である“T”となるような数値“N”に等しくなったどうか確認する。等しい場合、step118に進み、等しくない場合は、step119に進む。
【００４８】
CounterがNに等しくなった場合、VTRスイッチ６、RETスイッチ７がともにOFFであるかどうか確認し、いずれもOFFである場合、基本コードをOFFコードに設定する（step125）。OFFコードとは、VTR及びRETスイッチ６，７が共にOFFである基本コードであり、受光ユニット１の受信状態を終了させる。そしてOFFコードを赤外発光送信する(step126)。そして、Counterをクリアし（step122）、step101へ戻る。
【００４９】
step118にて、VTR及びRETスイッチ６，7のうち少なくとも一方のスイッチがONの場合、これらのスイッチ状態に応じた基本コードを設定し（step120）、基本コードを赤外線信号として、発光送信する(step121)。
【００５０】
そして、Counterをクリアし（step122）、step101へ戻る。step117にて、CounterがNに等しくない場合、VTRスイッチ６が前回と比較し、ONからOFFに切り替わったかどうかを確認する(step119)。
【００５１】
ONからOFFに切り替わっていた場合、step123に進み、そうでない場合は、step124に進む。step123、step124ではともに、RETスイッチ７が前回のスイッチ確認時と比較し、ONからOFFになったかどうかを確認する。step123にて、RETスイッチ７がONからOFFになっていた場合、step125に進む。
【００５２】
この場合、VTR及びRETスイッチ６，７がともにONからOFFに切り替わったことになるため、基本コードのデータコード部にVTR及びRETスイッチ６，７がともにOFFであることを設定する。ONからOFFとなっていない場合は、VTRスイッチ６のみであるため、基本コードデータコード部にVTRスイッチ６がOFFであると設定する（step127）。
【００５３】
step124にて、RETスイッチ７がONからOFFに切り替わっていた場合、step128に進む。この場合、RETスイッチ７のみが、ONからOFFに切り替わっているため、基本コードデータコード部にRETスイッチがOFFであると設定する。
【００５４】
そして、step127及びstep128で基本コードを設定した後は、step129に進み、設定した基本コードが、送信ユニット４の発光素子５から赤外線信号として、発光送信される。
そして、step101に戻る。
【００５５】
受光ユニット１では、この送信された指令信号（基本コード）のリーダ部を検出して、データコード部を受信可能状態に設定するとともに、IDデータを確認して、受光ユニット１にて受信可能なIDデータであれば、受信状態に設定する。
【００５６】
次に、図７を用いて、受光ユニット１の動作について説明する。ここで、図７は受光ユニットの動作制御を示したフローチャートである。なお、図７のフローチャートは、受光ユニット１に組み込まれた不図示の制御回路によって実行される。
【００５７】
受光ユニット１は、図３に示すとおり、デマンド用コネクタ１４及び接続コネクタ３を介して、レンズ本体９に接続されており、送信ユニット４から赤外線信号として発光送信される基本コードを受信できる状態で待機している。この待機状態にて、送信ユニット４より送信された基本コード内のリーダ部を受信する（step201）と、まず、データコード部が受信状態となり（step202）、このデータコード部内のIDデータコードが確認される（step203）。
【００５８】
このIDデータコードが、受光ユニット１に設定されたIDデータコードであれば、受信データと判断し、step204に進み、設定されたIDデータコード以外の基本コードであれば、受信データと判断せず、step201へ戻る。
【００５９】
前述したように図１１にて、受光ユニット１が、IDデータ  1000の基本コードのみを受信できるように設定されているとする。この場合、受信データが、0xA1の場合（IDデータ  0000）は、IDデータが異なるため、受信データとして認識せず、0x81の場合（IDデータ  1000）は、IDデータが等しいので、受信状態となる。そして、0x80のOFFコードを受信した場合、データコード受信状態を終了する。
【００６０】
step204では、受信した基本コードがOFFコードであるかどうか確認する。もし、OFFコードであれば、データコード受信状態を終了し(step206)、続いてTimerをリセットするとともに停止する(step211)、レンズ装置９にVTRスイッチ、RETスイッチのOFF信号を出力する(step212)。そして、step201に戻る。
【００６１】
一方、step204にてOFFコードでない場合、step205に進み、Timerをリセットする。そして、Timer  subをスタートさせる(step207)。このTimer  subでは、データコード受信状態にもかかわらず、ある一定時間（ここでは“ΔT”とする）、基本コードが受信できない時、VTR及びRETスイッチ６、７をいずれもOFFに設定し、これをレンズ本体９に出力する。
ここで、Timer  subのシーケンスについて図８を用いて詳細に説明する。図８はTimer  subのルーチンを示したフローチャートである。
【００６２】
まず、Timerによって一定時間“ΔT”が経過したかどうかが確認される。経過していない場合には、step301を繰り返す。一方、経過していた場合には、データコード受信状態を終了し（step302）、レンズ本体９に、VTRスイッチ６及びRETスイッチ７がOFFである旨の信号を出力する（step303）。
【００６３】
Timer  subをスタート後、step208に進み、受信したデータコード部を判別し、判別したスイッチ状態に応じたレンズ出力信号に変換し(step209)、これをレンズ本体９に出力する(step210)。
【００６４】
つまり、受光ユニット１は、受信データが、受光ユニット１に設定されたIDデータであると確認した時、データコード受信状態に設定される。そして、受信データの基本コードに組み込まれたデータコード部のVTR、RET信号を識別し、RETスイッチ７のON/OFF、VTRスイッチ６のON/OFFの状態をレンズ本体９へ出力する。
【００６５】
また、基本コードを最後に受信してから、基本コードの出力周期“T”よりも、長く設定された“ΔT”が経過しても、基本コードを受信しなかった場合、受信状態を終了する。そして、VTR、RETの出力もOFFに設定し、その信号をレンズ本体９へ出力する。
【００６６】
次に、スイッチ６，７の操作状態と送信ユニットから出力される基本コードの信号との関係を、図１３を用いて説明する。ここで、図１３はスイッチ６，７の操作状態と送信ユニットから出力される基本コードの信号との関係を示すタイミングチャートである。
これらの図に示す矢印は、図５におけるstep102のスイッチの確認動作を行うタイミングを示しており、一定の時間で、確認を何度も行っている。
【００６７】
スイッチの確認時、RETスイッチ７及びVTRスイッチ６のうち少なくとも一方のスイッチがOFFからONに切り替わったことを検出した場合、ONされたスイッチを受光ユニット１に知らせるため、基本コードの送信を開始する。
【００６８】
図１３において、RETスイッチ７のみがONされた状態で（図１３-a）、基本コードが送信される。その後常にスイッチの状態を監視し、スイッチの変化がなければ、前述の周期Tで同じ基本コードを再度送信する（図１３-b、c）。
【００６９】
この状態が続いた場合、周期Tにて、同じ基本コードが送信されるが、VTRスイッチ６，RETスイッチ７のON、OFFの切り替えを確認した場合は、今まで、出力していたものとは別の基本コードが、スイッチの変化を確認した時点で、送信される。
【００７０】
このように通常、ONからOFFへの切り替えが確認された場合も、基本コードが送信される。しかし、図１３の場合は、VTRスイッチ６及びRETスイッチ７がいずれもOFFに設定されているので、OFFコードを送信する（図１３-d）。
【００７１】
このOFFコードは、VTRスイッチ６及びRETスイッチ７がいずれもOFFになったことを、受光ユニット１に送信するもので、受光ユニット１はこのOFFコードを受信した場合、データコード受信状態を終了し、VTRスイッチ６及びRETスイッチ７をOFFとする信号をレンズ本体９に出力する。
【００７２】
その後、送信ユニット４が、次のスイッチ確認で、VTRスイッチ６のOFFからONへの切り替えを確認すると、VTRスイッチ６がONの基本コードを送信データとして、送信する（図１３-e）。その後、RETスイッチ７のときと同様に、前述の周期Tで同じ基本コードを再度送信する（図１３-e、f）。そして、VTRスイッチがOFFになったことを確認すると、RETスイッチもOFFのため、OFFコードを送信する（図１３-g）。
【００７３】
次に、図１２を用いて、VTRスイッチ６及びRETスイッチ７の操作状態、送信ユニットから出力される基本コード信号及びバッテリチェック用LED８の点灯状態との関係を説明する。ここで、図１２はこれらの関係を示すタイミングチャートである。
【００７４】
まず、RETスイッチ７が押されたことを（図１２-a）確認すると、RETスイッチ７がONの基本コードを送信する。その後も、VTRスイッチ６及びRETスイッチ７の操作状態を一定の周期で監視する。そして、次の基本コード送信前に、VTRスイッチ６がONされたことを確認すると、VTRスイッチ６及びRETスイッチ７のいずれもがONの基本コードであることを送信する（図１２-b）。
【００７５】
VTRスイッチ６及びRETスイッチ７がいずれもONされると、送信ユニット４は、バッテリチェックモードに入り、バッテリチェック用LED８を点灯する。その後、VTRスイッチ６及びRETスイッチ７の操作状態に変化がなければ、前述の周期Tで同じ基本コードを再度送信する（図１２-c、d、e）と同時に、バッテリチェック用LED８の点灯を継続する。
【００７６】
その後、RETスイッチ７のOFFを確認すると、RETスイッチ７がOFF、VTRスイッチ６がONの基本コードが送信される。ここで、バッテリチェック用LED８は消灯する(図１２-f)。そして、次のスイッチ確認時にVTRスイッチ６がOFFされたのを確認し、OFFコードを送信する（図１２-g）。
【００７７】
以上、説明したように、ドライブユニット１０のVTRスイッチ６及びRETスイッチ７を遠隔から操作するために、送信ユニット４と受光ユニット１を用いて、赤外線通信することで、従来のケーブル接続方式で問題視されている撮影時の機動性の低下やケーブルの引っ張りを解消することができる。また、十分な機動性を持ちあわせ、且つ、ドライブユニット１０に設けられたデマンドコネクタ１４に対して受信ユニット１を着脱可能としているため、汎用性が高い。
（変形例）
受光ユニット１及びレンズ本体９を接続した状態において、そのVTR、RETの信号のやり取りは、接続、未接続（OPEN）の信号にしてもよく、受光ユニット１が、シリアル通信可能な信号線をもつデマンドコネクタ１４に接続可能であれば、通信により、VTR、RETスイッチのON、OFFの状態を出力しても良い。
【００７８】
また、VTRスイッチ６及びRETスイッチ７が同時に押された場合、LED８を点灯し、バッテリチェックとしたが、電池や充電電池の電圧値を監視し、その出力電圧に応じて、LED８の発光する色を変えて、バッテリ（電池や充電電池）の状態を確認できるようにしても良い。
【００７９】
上記実施例の発明は、以下の発明１〜発明１３に記載の撮影装置の一実施形態でもある。
（発明１）
光学手段を有する撮影装置と、スイッチで遠隔より操作するスイッチ操作手段及び、前記スイッチ操作手段の操作に応じて指令信号を発光発信する発信手段及び、前記撮影装置の撮影に関わる操作を遠隔より指示する遠隔操作装置と、前記発信手段が発信する信号を受信する受光手段を備えた受光装置と、前記受光装置が受信する信号に基づいて前記撮影装置を制御する制御手段を有することを特徴とする撮影装置。
（発明２）発信手段より、発信される指令信号は赤外線信号であることを特徴とする発明１記載の撮影装置。
（発明３）前記受光装置は、レンズ装置に対して、着脱可能であることを特徴とする発明１記載の撮影装置。
（発明４）  前記遠隔操作装置に設けられたスイッチ操作手段の操作によって、遠隔操作装置に内蔵されたバッテリを確認することが可能な発明１記載の撮影装置。
（発明５）  前記遠隔操作装置に設けられた複数のスイッチ操作手段の操作によって、遠隔操作装置に内蔵されたバッテリを確認することが可能な発明４記載の撮影装置。
（発明６）  前記遠隔操作装置に設けられた複数のスイッチ操作手段を同時に操作することによって、遠隔操作装置に内蔵されたバッテリを確認することが可能な発明４、５記載の撮影装置。
（発明７）  前記遠隔操作装置より、発光発信される指令信号は、3バイト構成（リーダ部+データコード部+データコード部（上線））からなることを特徴とする発明１記載の撮影装置。
（発明８）  前記遠隔操作装置に設けられたスイッチ操作手段の操作に応じて発光発信する指令信号は、規定の間隔（周期）Ｔにて、送信することを特徴とする請求項１記載の撮影装置。
（発明９）  前記遠隔操作装置に設けられたスイッチ操作手段の操作に応じて発光発信する指令信号は、スイッチＯＮ時に送信することを特徴とする発明１記載の撮影装置。
（発明１０）  前記遠隔操作装置に設けられたスイッチ操作手段の操作に応じて発光発信する指令信号は、スイッチの状態が変化したときに、送信することを特徴とする発明１記載の撮影装置。
（発明１１）  前記受光装置は、前記遠隔操作装置より送信された指令信号のリーダ部を検出して、規定のリーダ部である場合のみ、受信状態とすることを特徴とする発明１記載の撮影装置。
（発明１２）  前記受光装置が前記遠隔操作装置より送信された指令信号を受信後、規定の間隔ΔＴ間、指令信号を受信しなかった場合、受信状態を終了することを特徴とする発明１記載の撮影装置。
（発明１３）  前記ΔＴは発光発信する規定の間隔Ｔに対し、Ｔ＜ΔＴなる関係をもつことを特徴とする発明１２記載の撮影装置。
【図面の簡単な説明】
【００８０】
【図１】送信ユニット及び受信ユニットの外観図
【図２】送信ユニットの詳細な外観図
【図３】カメラシステムの外観図
【図４】図３とは別のカメラシステムの外観図
【図５】送信ユニットの動作制御を示したフローチャート
【図６】送信ユニットの動作制御を示したフローチャート
【図７】受光ユニットの動作制御を示したフローチャート
【図８】Timer subのフローチャート
【図９】送信データの基本コードを示す図
【図１０】データコード部を示す図
【図１１】受信ユニットの受信状態を示す図
【図１２】送信ユニットの動作を説明するためのタイミングチャート
【図１３】送信ユニットの動作を説明するためのタイミングチャートで、図１２とはスイッチの操作状態が異なる
【図１４】従来例の図
【符号の説明】
【００８１】
１  受光ユニット
１a  受光素子
３  接続コネクタ
４  送信ユニット
５  発光素子
６  VTRスイッチ
７  RETスイッチ
８  LED
９  レンズ本体
１０  ドライブユニット
１１  カメラ
１２  三脚
１３  パン操作棒
１４  デマンド用コネクタ
１５  リモートスイッチユニット
３１  レンズ装置
【図１】
2006033284.tif 000003
【図２】
2006033284.tif 000004
【図３】
2006033284.tif 000005
【図４】
2006033284.tif 000006
【図５】
2006033284.tif 000007
【図６】
2006033284.tif 000008
【図７】
2006033284.tif 000009
【図８】
2006033284.tif 000010
【図９】
2006033284.tif 000011
【図１０】
2006033284.tif 000012
【図１１】
2006033284.tif 000013
【図１２】
2006033284.tif 000014
【図１３】
2006033284.tif 000015
【図１４】
2006033284.tif 000016